【手続補正書】
【提出日】平成18年9月11日(2006.9.11)
【手続補正１】
【補正対象書類名】明細書
【補正対象項目名】特許請求の範囲
【補正方法】変更
【補正の内容】
【特許請求の範囲】
【請求項１】
プロセッサと、ビデオディスプレイモニターと、該ディスプレイモニターに結合された少なくとも１つの周辺装置との間における双方向通信方法であって、
データイネーブル信号が第１の状態にあるときに、前記プロセッサから複数の信号線を介して前記ビデオディスプレイモニターへと第１の方向にデジタル画素データの第１の行を伝送するステップと、
前記データイネーブル信号が第２の状態にあるときに、前記少なくとも１つの周辺装置から前記複数の信号線のうちの少なくとも１本を介して前記プロセッサへと第２の方向にデジタルデータを伝送するステップと、
前記データイネーブル信号が前記第１の状態へ戻るときに、前記プロセッサから前記複数の信号線を介して前記ビデオディスプレイモニターへと前記第１の方向にデジタル画素データの第２の行を伝送するステップと
からなる双方向通信方法。
【請求項２】
前記複数の信号線は、赤のデジタル画素データを前記第１の方向に伝送するための第１の線と、緑のデジタル画素データを前記第１の方向に伝送するための第２の線と、青のデジタル画素データを前記第１の方向に伝送するための第３の線と、第１のクロック信号を前記第１の方向に伝送するための第４の線とを含み、前記第１の線及び前記第２の線は、前記データイネーブル信号が前記第２の状態にあるときに、前記少なくとも１つの周辺装置から前記プロセッサへの前記第２の方向におけるデジタルデータの伝送に使用される、請求項１に記載の方法。
【請求項３】
前記第３の線は、前記データイネーブル信号が前記第２の状態にあるときに、前記少なくとも１つの周辺装置から前記プロセッサへの前記第２の方向における前記デジタルデータの伝送の制御に使用され、
前記第４の線は、前記データイネーブル信号が前記第２の状態にあるときに、前記少なくとも１つの周辺装置から前記プロセッサへの前記第２の方向における前記デジタルデータの伝送の制御に使用され、
前記第４の線を介して伝送されるクロックパルスの数は、前記データイネーブル信号が前記第２の状態にあるときに、前記少なくとも１つの周辺装置から前記プロセッサへの前記第２の方向における前記デジタルデータの伝送の制御に使用される、請求項２に記載の方法。
【請求項４】
プロセッサとビデオディスプレイモニターとの間において双方向通信を行うシステムであって、
前記プロセッサから複数の信号線を介して前記ビデオディスプレイモニターへと第１の方向にデジタル画素データを伝送するための、前記プロセッサ内に設けられた送信ユニットであって、データイネーブル信号が第１の状態にあるときは常に、前記デジタル画素データが前記プロセッサから前記ビデオディスプレイモニターへと伝送されるように構成された、送信ユニットと、
前記ディスプレイモニターに結合された周辺装置から前記複数の信号線のうちの少なくとも１本を介して伝送されたデジタルデータを受信するための、前記プロセッサ内に設けられた受信ユニットであって、前記データイネーブル信号が第２の状態にあるときに、前記デジタルデータが前記ビデオディスプレイモニターから前記プロセッサへと伝送されるように構成された、受信ユニットと
を含み、デジタルデータの各行を伝送する間、前記第１の状態及び前記第２の状態がイネーブルされる、システム。
【請求項５】
前記プロセッサから前記複数の信号線を介して前記ビデオディスプレイモニターへと前記第１の方向に伝送されたデジタル画素データを受信するための、前記ディスプレイモニター内に設けられた受信器と、
前記データイネーブル信号が第２の状態にあるときに、前記ディスプレイモニターに接続された前記周辺装置から受信したデジタルデータを、前記複数の信号線のうちの少なくとも１本を介して第２の方向に伝送するための、前記ディスプレイモニター内に設けられた送信器と
を更に含む、請求項４に記載のシステム。
【請求項６】
前記プロセッサ内において前記送信ユニットと前記受信ユニットの間に結合され、前記ディスプレイモニターへデジタル画素データを送信する動作と、前記ディスプレイモニターからデジタルデータを受信する動作とを切り替えるための、第１の切り換えネットワークと、
前記ディスプレイモニター内において前記送信器と前記受信器の間に結合され、前記プロセッサからデジタル画素データを受信する動作と、前記プロセッサへデジタルデータを送信する動作とを切り替えるための、第２の切り換えネットワークと
を更に含む、請求項５に記載のシステム。
【請求項７】
前記複数の信号線は、赤のデジタル画素データを前記第１の方向に伝送するための第１の線と、緑のデジタル画素データを前記第１の方向に伝送するための第２の線と、青のデジタル画素データを前記第１の方向に伝送するための第３の線と、第１のクロック信号を前記第１の方向に伝送するための第４の線とを含み、前記第１の線及び前記第２の線は、前記デジタルイネーブル信号が前記第２の状態にあるときに、前記ディスプレイモニターから前記プロセッサへの前記第２の方向におけるデジタルデータの伝送に使用される、請求項６に記載のシステム。
【請求項８】
前記第３の線は、前記第１の切り換えネットワーク及び前記第２の切り換えネットワークの制御に使用される、請求項７に記載のシステム。
【請求項９】
前記第４の線は、前記第１の切り換えネットワーク及び前記第２の切り換えネットワークの制御に使用され、前記第４の線を介して伝送されるクロックパルスの数は、前記データイネーブル信号が前記第２の状態にあるときに、前記少なくとも１つの周辺装置から前記プロセッサへの前記第２の方向における前記デジタルデータの伝送の制御に使用される、請求項８に記載のシステム。
【請求項１０】
前記複数の信号線は、赤、緑及び青のデジタル画素データを前記第１の方向に伝送するために使用される４つの差動ペアと、第１のクロック信号を前記第１の方向に伝送するための５番目の差動ペアとを含み、前記４つの差動ペアは、前記データイネーブル信号が前記第２の状態にあるときに、前記少なくとも１つの周辺装置から前記プロセッサへの前記第２の方向におけるデジタルデータの伝送に使用される、請求項６に記載のシステム。
【請求項１１】
前記第１のクロック信号は、前記第１の切り換えネットワーク及び前記第２の切り換えネットワークの制御に使用され、前記５番目の差動ペアを介して前記第１の方向に伝送されるクロックパルスの数は、前記データイネーブル信号が前記第２の状態にあるときに、前記少なくとも１つの周辺装置から前記プロセッサへの前記第２の方向におけるデジタルデータの伝送の制御に使用される、請求項１０に記載のシステム。
【請求項１２】
前記複数の信号線は、赤、緑及び青のデジタル画素データを前記第１の方向に伝送するために使用される４つの差動ペアを含み、前記４つの差動ペアのうちの３つは、前記データイネーブル信号が前記第２の状態にあるときに、前記ディスプレイモニターから前記プロセッサへの前記第２の方向におけるデジタルデータの伝送に使用され、前記５番目の差動ペアは、前記切り換えネットワークの制御に使用される、請求項６に記載のシステム。
【請求項１３】
ビデオディスプレイモニターに対して双方向にデジタルデータを伝送するシステムであって、
前記ビデオディスプレイモニターに対して複数の信号線を介してデジタル画素データを第１の方向に伝送し、前記ディスプレイモニターから前記複数の信号線のうちの少なくとも１本を介して第２の方向に伝送されたデジタルデータを受信するためのプロセッサであって、データイネーブル信号が第１の状態にあるときは常に、前記プロセッサから前記ビデオディスプレイモニターへと前記デジタル画素データが伝送され、前記データイネーブル信号が第２の状態にあるときは、前記ディスプレイモニターから前記プロセッサへと前記デジタルデータが伝送されるように構成された、プロセッサを含み、
デジタルデータの各行が伝送される間、前記第１の状態及び前記第２の状態がイネーブルされるように構成される、システム。
【請求項１４】
前記ディスプレイモニターは、少なくとも１つの周辺装置に接続するための内臓ハブシステムを有し、該ハブシステムは、前記少なくとも１つの周辺装置から前記デジタルデータを受信し、前記データイネーブル信号が第１の状態にあるときに、前記受信したデータを前記ディスプレイモニターから前記複数の信号線のうちの少なくとも１本を介して前記プロセッサへと第２の方向に送信する、請求項１３に記載のシステム。
【請求項１５】
プロセッサとビデオディスプレイ端末との間においてデータの双方向の伝送を実施するのプログラムコードが記録されたコンピュータ読み取り可能な記憶媒体であって、前記プログラムコードは前記プロセッサに、
第１の状態と第２の状態のいずれか一方の状態を有するデータイネーブル信号を生成させ、
前記データイネーブル信号が前記第１の状態にある場合、前記ビデオディスプレイ端末に対して複数の信号線を介してデジタル画素データを第１の方向に送信させ、
前記データイネーブル信号が前記第２の状態にある場合、前記ビデオディスプレイ端末から前記複数の信号線を介してデジタルデータを第２の方向において受信させ、
前記デジタル画素データの行が送信されるたびに、前記第１の状態及び前記第２の状態をイネーブルさせるためのプログラムコードである、コンピュータ読み取り可能な記憶媒体。